Podtech/llm-jp-corpus-v4-ja_patent huggingface dataset:
(57)【要約】【課題】毛足の長い絨毯の内部に絡みついたペットの抜け毛を確実にかき出し、散乱させずに収集が可能で、コストも安く、しかも絨毯を傷めない簡便な掃除用具が求められている。【解決手段】粘着式ゴミ取り器において、シリコンゴム製の多数の突起を、粘着式のローラーの近傍に装置する。【選択図】図１
2018149255.tif 000002
【特許請求の範囲】
【請求項１】
手で把持して操作を行う取っ手と、粘着式のゴミ取りローラーを回転自在に保持する保持部とを備えた粘着式ゴミ取り器において、保持部の近傍に、ゴミ、埃、毛髪をかき集める、集塵装置を設けたことを特徴とする、粘着式ゴミ取り器。
【請求項２】
集塵装置は、以下のいずれかである事を特徴とする、請求項１に記載の粘着式ゴミ取り器。
１、軟質部材で成形された突起を、一定の高さで複数配置した。
２、軟質部材で成形された、高さ又は大きさが異なる突起を、複数配置した。
３、軟質部材で成形された、硬度が異なる突起を、複数配置した。
３、ブラシ、又は櫛、又は熊手、又はカギ爪、又はほうき、又はスポンジ、又は面ファスナー、又は雑巾、又はちりとり、又はスクレーパー、又はピンセットのいずれかとした。
４、上記１から３のいずれかに記載の集塵装置を、台座、又は曲面上の台座に配置した。
５、上記１から４に記載の装置、又は構成から、いずれか複数の装置を選択して組合せた、又はいずれか複数の装置を選択して並列配置した。
【請求項３】
以下のいずれか、又はいずれか複数の特徴を有する、請求項１又は請求項２に記載の粘着式ゴミ取り器。
１、取っ手と保持部の間を、伸縮自在に装置した。
２、取っ手と保持部との間の部材を、着脱交換可能に装置した。
３、保持部は、粘着式のローラーの回転軸を両端で支持する、枠体形状とした。
４、集塵装置は、保持部に取り付けた粘着式のローラーの近傍で、取っ手と略反対側に、取っ手に対して所定の傾斜角度で装置した、又は台座を傾斜させて取り付けた。
５、集塵装置、又は集塵装置を取り付けた台座を、着脱可能、又は交換可能に装置した。
６、集塵装置の取り付け角度、又は配置角度を、可変自在に装置した。
７、突起、ブラシ、櫛、熊手、カギ爪、ほうき、ちりとり、スクレーパーの材質を、シリコンゴム、又は合成ゴム、又は軟質樹脂とした。
８、集塵装置の汚れを落とす為のブラシを、取っ手の近傍に着脱自在に装置した。
９、粘着式のローラーにクラッチを設け、一方向だけに回転可能に装置した。
１０、集塵装置は、ローラーの回転軸と略平行に溝に差し込み、取り付ける構造とした。
１１、保持部を枠体とした構成において、粘着ローラー交換時、枠体の一部が変形、又は分離、又は取り外し可能な構造とした。
１２、粘着式のローラーを、シリコンゴムで形成した。
１３、粘着式のローラーを、静電気を利用してゴミを吸着する装置とした。
１４、保持部、又は保持部近傍に、粘着式のローラー、又は粘着式のローラーと集塵装置の両方を覆うカバーを着脱可能に保持する、取り付け装置を設けた、又は保持部と一体成形でカバー係止装置を設けた。
【発明の詳細な説明】
【技術分野】
【０００１】本発明は、粘着式のローラーを利用して、室内のゴミを取る装置であり、特に、毛足の長い絨毯の中に絡みついた、ペッなどトの抜け毛を収集する装置に関する。
【背景技術】
【０００２】室内で犬や猫を飼う人が増えているが、その抜け毛の処理に悩まされている。フローリングであれば、電気掃除機で簡単に吸い取る事が可能だが、毛足の長い絨毯の内部に入り込み、絡み付いてしまった抜け毛は、収集するのが極めて難しかった。
【先行技術文献】
【０００３】
【特許文献】
【特許文献】特願２０００−１１０９４８
【発明の概要】
【発明が解決しようとする課題】
【０００４】毛足の長い絨毯の内部に絡みついたペットの抜け毛を確実にかき出し、散乱させずに収集が可能で、コストも安く、しかも絨毯を傷めない簡便な掃除用具が求められている。
【課題を解決するための手段】
【０００５】課題を解決する為には、本発明の請求項１から請求項３のいずれかに記載された構成を１つ、又は複数選択して採用する。その代表例は、概略、以下の構成を指す。
１、粘着式のローラーを回転自在に保持する枠体に、操作用の取っ手を設ける。
２、枠体の表面で取っ手と反対側の位置に、シリコンゴム製の突起を多数装置する。
３、突起の配置は、粘着式のローラーを転がす際に邪魔にならぬ様、角度を付ける。
【発明の効果】
【０００６】本発明によれば、前述の課題を全て解決する事が可能で、特に、ペットの抜け毛の掃除で苦労している飼い主に、朗報となる。
【図面の簡単な説明】
【０００７】
【図１】  本発明の、正面図を表す。
【図２】  本発明の、右側面図を表す。
【発明を実施するための形態】
【０００８】本発明を実施し、全ての課題を解決する為の形態や構成は、請求項１から請求項３に詳述された通りであり、そのいずれか、又はいずれか複数の構成を選択すれば良い。
その構成の一例を、図を使って説明する。
【実施例】
【０００９】図１は、本発明の粘着式ゴミ取り器の正面図であり、図２は、その右側面図である。枠体状の保持部２に、粘着式のローラー３が回転自在に取り付けられ、取っ手１を持って床の上で粘着式のローラーを転がせば、ゴミがローラーの表面に付着し、収集できる。【００１０】一般的な粘着式ゴミ取り器は、粘着式のローラーを転がすだけの為、フローリングや畳など、平面上のゴミは収集できるが、例えば毛足の長い絨毯の中に絡み付いているゴミや抜け毛を収集することができない。【００１１】そこで本発明では、保持部に台座５を装置し、多数のシリコンゴム製の突起４を設けた。この構成によれば、最初に図２の左側を下にして取っ手を把持し、先端部分に設けられた多数の突起で、絨毯の内部に絡みついたペットの抜け毛などを、容易にかき出すことができる。また、突起は柔らかいゴム製の為、絨毯を傷めることが無い。【００１２】次に、取っ手を持ち直し、図２の右側を下にして、かき出されたゴミを粘着式のローラーに付着させて収集すれば、簡単に掃除が終了する。
また、粘着式のローラーが、使い捨てテープタイプの場合、通常の粘着式ゴミ取り器では、広範囲に渡り、ローラーを何度も転がさなければならず、すぐに粘着力が低下し、テープを頻繁に交換しなければならないが、本発明であれば、突起で１か所にかき集められたゴミを、１回で付着し、収集できるので、消耗品である粘着テープの節約にもなる。
【産業上の利用可能性】
【００１３】本発明の、請求項１から請求項３の、いずれかに記載された構成を、１つ又は複数選択して採用すれば、毛足の長い絨毯の奥に絡みついたペットの抜け毛を簡単に収集し、破棄することが可能で、消耗品である粘着テープの節約もできる。
これにより、多大な手間と労力が必要だった抜け毛の掃除が、極めて容易になり、余った時間と費用を有効活用できる様になり、一般市民の生活向上が期待できる。
【符号の説明】
【００１４】    １、取っ手
２、粘着式のローラーを回転自在に保持する、枠体形状の保持部
３、粘着式のローラー
４、集塵装置として多数配置した、シリコンゴム製の突起
５、シリコンゴム製の突起を多数装置した、台座
【図１】
2018149255.tif 000003
【図２】
2018149255.tif 000004
(57)【要約】      （修正有）【課題】ゴルフアプローチの練習をするとき、ゴルフクラブの正しい動きを身につけるための、ゴルフアプローチ練習器具を提供する。【解決手段】本体１をアイアングリップ８に、突起がアイアングリップ穴に入るまで挿入し、本体に付いているベルト３を本体に巻き付け、ベルトに付いているマジックテープ上４を、本体に付いているマジックテープ下６に固定する。【選択図】図３
2018149252.tif 000002
【特許請求の範囲】
【請求項１】
（８）のアイアングリップに、方向棒（２）の付いた本体（１）を差込（３）のベルトを本体（１）に巻きつけ、（４）のマジックテープ上と（６）のマジックテープ下によって固定した、ゴルフアプローチ練習器具。
【発明の詳細な説明】
【技術分野】
【０００１】この発明は、ゴルフクラブの、アイアングリップ部分に装着し使用する、ゴルフアプローチ練習器具に関するものである。
【背景技術】
【０００２】従来、ゴルフアプローチの練習器具で、直接ゴルフクラブに、装着使用するものは、ほとんどなかった。
【先行技術文献】
【特許文献】
【０００３】
【特許文献１】
【発明の概要】
【発明が解決しようとする課題】
【０００４】これは、次のような欠点があった。
従来、ゴルフアプローチの練習は、距離感を養うもので、反復練習により習得するものであるのだが、ゴルフクラブの動きがわかり難く、様々な問題が発生する。
本発明は、以上のような欠点をなくすためになされたものである。
【課題を解決するための手段】
【０００５】（１）の本体を、（８）のアイアングリップに差込、（３）のベルトを本体（１）に巻きつけ固定する。固定には、（３）のベルトに付いている（４）のマジックテープ上と、本体（１）に付いている、（６）のマジックテープ下を使用する。（５）の突起が、（８）のアイアングリップ上部（９）の穴に食い込むことで、（２）の方向棒が安定する。（１）の本体にある切れ目（７）は（８）のアイアングリップの太さに対応するためである。
本発明は、以上の構成よりなるゴルフアプローチ練習器具である。
【発明の効果】
【０００６】グリップより伸びた、方向棒を、体に触れる事無く練習することで、全てのショットにつながる、ゴルフクラブの動きを習得できる。
【図面の簡単な説明】
【０００７】
【図１】  本発明の上部図である。
【図２】  本発明の下部図である。
【図３】  本発明の側面図である。
【図４】  本発明の装着断面図である。
【図５】  本発明の使用図である。
【発明を実施するための形態】
【０００８】以下、本発明を実施するための形態について説明する。
（１）の本体を（８）のアイアングリップに、（５）の突起が（９）のアイアングリップ穴に入るまで挿入し、本体（１）に付いている、ベルト（３）を、本体（１）に巻きつけ、ベルト（３）に付いている、マジックテープ上（４）を、本体（１）に付いているマジックテープ下（６）に固定する。本発明は、以上のような構造である。
これを使用するときは、両足を閉じた姿勢で、ゴルフボールを真ん中、又は少し飛球方向に置き、アイアンを構える。スイング中、（２）の方向棒が体の側面に触れないように１０ヤード前後のアプローチを練習する。本器具の練習では正しいゴルフクラブの動きを、小さなスイングで繰り返し行うことで、全てのショットにつながる、動作を身につける事ができる。
【符号の説明】
【０００９】１  本体
２  方向棒
３  ベルト
４  マジックテープ上
５  突起
６  マジックテープ下
７  切れ目
８  アイアングリップ
９  アイアングリップ穴
【図１】
2018149252.tif 000003
【図２】
2018149252.tif 000004
【図３】
2018149252.tif 000005
【図４】
2018149252.tif 000006
【図５】
2018149252.tif 000007
(57)【要約】【課題】  従来の、赤ちゃんが自分の肌をひっかくのを防止する手袋は、動き回ると抜けてしまい、赤ちゃんがある程度大きくなると自分で脱ぎ捨ててひっかいてしまうこともあり、よく紛失した。また、従来の手袋は、入り口が狭く、手指を頻繁に動かす赤ちゃんに装着するのは難しく装着しようとする人のストレスになり、赤ちゃんの指の動きの自由を制限し、手首を締め付けるため赤ちゃん自身へのストレスにもなった。  本発明は、動き回っても脱げず、赤ちゃんが自分で外すこともなく、赤ちゃん自身にも装着する人にもストレスなく使える、赤ちゃん用ひっかき防止手袋を提供する。【解決手段】  肌に優しい布地を使用し、長く幅の広い筒状の袋を２つ使用して手袋とし、両方の手袋を衣料用ゴムでつなぎ、ゴムが背中側をとおるようにして手袋を両手にかぶせることで手袋が外れなくした、外れない赤ちゃん用ひっかき防止手袋。【選択図】図１
2018165422.tif 000002
【特許請求の範囲】
【請求項１】
肌に優しい布地を使用し、長く幅の広い筒状の袋を２つ使用して手袋とし、両方の手袋を衣料用ゴムでつなぎ、ゴムが背中側をとおるようにして手袋を両手にかぶせることで手袋が外れなくした、外れない赤ちゃん用ひっかき防止手袋。
【発明の詳細な説明】
【技術分野】
【０００１】  本発明は、赤ちゃんが自分で外すことがなく、赤ちゃんの動きで自然と外れることがないようにした、赤ちゃんが自分の肌をひっかくのを防止する手袋に関するものである。
【背景技術】
【０００２】  従来、赤ちゃんが自分の肌をひっかいて傷つけないようにするためには、小さなミトンのような手袋を手にかぶせていた。
また、手袋が外れるのを防止するためには、フックや面ファスナーを活用した脱落防止具があった。
【先行技術文献】
【特許文献】
【０００３】
【特許文献１】特願２０１５−１３１０５８
【特許文献２】特願２０１４−１２３０２２
【発明の概要】
【発明が解決しようとする課題】
【０００４】  従来の、赤ちゃんが自分の肌をひっかいて傷つけないようにする為の手袋には、次のような問題があった。
（イ）赤ちゃんの、腕を振り回す・もがく・這う等の自然な動きで外れてしまう。
（ロ）赤ちゃんがある程度成長すると自分で脱ぎ捨ててしまう。
（ハ）脱落防止のため、手の入り口が小さく作られ、手首をゴムなどで絞めるようになっており、装着する際に赤ちゃんが動き回ると非常に装着しにくく、装着しようとする人のストレスになる。
（ニ）小さい手袋のため、赤ちゃんが指を広げたり、つかんだりする動作が制限され、赤ちゃんのストレスになる。
（ホ）脱落防止のためのゴム等で手首が締め付けられるので、赤ちゃんのストレスになる。
（ヘ）外れやすいので片方もしくは両方を紛失しやすい。
本発明は以上の問題点を解決するためになされたものである。
【課題を解決するための手段】
【０００５】  肌に優しい布地を使用し、長く幅の広い筒状の袋を２つ使用して手袋とし、両方の手袋を衣料用ゴムでつなぎ、ゴムが背中側をとおるようにして手袋を両手にかぶせることで、手袋が外れなくした。
以上の構成による、外れない赤ちゃん用ひっかき防止手袋。
【発明の効果】
【０００６】（イ）赤ちゃんの、腕を振り回す・もがく・這う等の自然な動きで外れることがなくなる。
（ロ）赤ちゃんが自分で脱ぎ捨ててしまうことがなくなる。
（ハ）手の入り口を広く取ることができ、赤ちゃんに装着しやすい。
（ニ）手指が収まる部分を広く取ることができ、赤ちゃんのストレスにならない。
（ホ）手首を締め付けることがなく、赤ちゃんのストレスにならない。
（ヘ）外れないので紛失しない。
【図面の簡単な説明】
【０００７】
【図１】  本発明の前面を示した斜視図である。
【図１】  本発明の後面を示した斜視図である。
【図１】  本発明の使用状態の前面を示した斜視図である。
【図２】  本発明の使用状態の後面を示した斜視図である。
【発明を実施するための形態】
【０００８】  以下、本発明の実施の形態を説明する。
（イ）赤ちゃんの腕全体をカバーできる長さと、服を来たまま脱着させるのに十分な幅をもたせたガーゼ生地などの肌に優しい布地の手袋（１）を、伸縮性の高い衣料用ゴム（２）でつなぐ。
（ロ）接合部分には面ファスナー（３）を活用しサイズ調整を可能とする
【符号の説明】
【０００９】  １  手袋
２  衣料用ゴム
３  面ファスナー
【図１】
2018165422.tif 000003
【図２】
2018165422.tif 000004
【図３】
2018165422.tif 000005
【図４】
2018165422.tif 000006
【手続補正書】
【提出日】平成29年5月22日(2017.5.22)
【手続補正１】
【補正対象書類名】明細書
【補正対象項目名】０００７
【補正方法】変更
【補正の内容】
【０００７】
【図１】  本発明の前面を示した斜視図である。
【図２】  本発明の後面を示した斜視図である。
【図３】  本発明の使用状態の前面を示した斜視図である。
【図４】  本発明の使用状態の後面を示した斜視図である。
(57)【要約】【課題】ブシュリンクプレートと、ブシュ嵌合孔に嵌合するブシュと、ブシュの外周に回転可能に取り付けられるローラを有するチェンにおいて、ローラとブシュリンクプレートの固着を防止すること。【解決手段】ブシュ嵌合孔を有するブシュリンクプレートと、前記ブシュ嵌合孔に嵌合するブシュと、前記ブシュの外周に回転可能に取り付けられるローラを有するチェンにおいて、前記ローラの端面に突起を形成した。【選択図】図１
2018165519.tif 000002
【特許請求の範囲】
【請求項１】
ブシュ嵌合孔を有するブシュリンクプレートと、
前記ブシュ嵌合孔に嵌合するブシュと、
前記ブシュの外周に回転可能に取り付けられるローラを有するチェンにおいて、
前記ローラの端面に突起を形成したことを特徴とするチェン。
【請求項２】
前記突起は略半球状であることを特徴とする請求項１に記載のチェン。
【請求項３】
前記突起は略円錐状であることを特徴とする請求項１に記載のチェン。
【発明の詳細な説明】
【技術分野】
【０００１】
本発明は、ブシュの外周にローラを設けるタイプのチェンに関するものである。
【背景技術】
【０００２】
図２はチェンの構成の一種を示す図である。
【０００３】
チェン１６０は互いに対抗する板状のピンリンクプレート（外リンクプレート）１６２を有しており、ピンリンクプレート（外リンクプレート）１６２は両端にそれぞれピン挿通孔を有している。
【０００４】
また、チェン１６０は互いに対抗する板状のブシュリンクプレート（内リンクプレート）１６４を有しており、ブシュリンクプレート（内リンクプレート）１６４は両端にそれぞれブシュ嵌合孔を有している。
ブシュ嵌合孔には円筒状のブシュ１６６の両端の嵌合部がそれぞれ嵌合され、ブシュ１６６の外周には円筒状のローラ１６８が回転可能に取り付けられている。
【０００５】
ブシュ１６６には両端にブシュリンクプレート（内リンクプレート）１６４のブシュ嵌合孔に嵌合する嵌合部が設けられ、また、中心部にピン１７０が貫通するピン貫通孔が設けられている。
【０００６】
また、チェン１６０は棒状のピン１７０を有している。
ピン１７０は円筒状の本体がブシュ１６６のピン貫通孔に挿通され、端部が外リンクプレート１６２に係止される。
【０００７】
チェン１６０は以上のように組立てられることにより、屈曲自在に連結する。
【先行技術文献】
【特許文献】
【０００８】
【特許文献１】特開2007-176615号公報
【発明の概要】
【発明が解決しようとする課題】
【０００９】
このようなローラを有するチェンにおいて、ローラを樹脂で成形し、メッキを施すことがある。メッキを施したローラを用いる場合、ローラとリンクプレートが固着する場合がある。特に沈澱池においては、汚泥がローラとリンクプレートの間に入り込むので、より固着しやすい。
【００１０】
本発明は、チェンにおいて、ローラとリンクプレートの固着を防ぐことを課題とするものである。
【課題を解決するための手段】
【００１１】
本発明は、上記課題を解決するためになされたものであり、
ブシュ嵌合孔を有するブシュリンクプレートと、
前記ブシュ嵌合孔に嵌合するブシュと、
前記ブシュの外周に回転可能に取り付けられるローラを有するチェンにおいて、
前記ローラの端面に突起を形成したことを特徴とするものである。
【００１２】
また、本発明は、前記突起は略半球状であることを特徴とするものである。
【００１３】
また、本発明は、前記突起は略円錐状であることを特徴とするものである。
【発明の効果】
【００１４】
このような本発明によれば、
ブシュ嵌合孔を有するブシュリンクプレートと、
前記ブシュ嵌合孔に嵌合するブシュと、
前記ブシュの外周に回転可能に取り付けられるローラを有するチェンにおいて、
前記ローラの端面に突起を形成したことにより、
前記ローラと前記ブシュリンクプレートの固着を防ぐことができる。
【図面の簡単な説明】
【００１５】
【図１】本発明のチェンに用いられるローラを示す図であり、（ａ）が正面図、（ｂ）が側面図である。
【図２】チェンの全体図である。
【発明を実施するための最良の形態】
【００１６】
以下、本発明の実施の形態について、図面に基づいて具体的に説明する。従来例と同様の箇所については、説明を省略する。
【００１７】
図１は本発明の第一の実施の形態に係るチェンのローラを示す図であり、（ａ）が正面図、（ｂ）が側面図である。
【００１８】
本発明の実施の形態に係るチェンのローラ４０は、図１（ａ），（ｂ）に示すように、ローラ４０の端面（チェンを組み立てた際にブシュリンクプレートに接する面）に略半球状の突起部４２が設けられる。
【００１９】
ローラ４０の端面に略半球状の突起部４２が形成されているので、ローラとブシュリンクプレートの接触は、ローラ４０の突起部４２における点接触となる。
したがって、従来の突起部を設けないローラとブシュリンクプレートが面接触であるのと比べ接触面積が著しく少なくなるので、ローラとブシュリンクプレートの固着が起こりにくくなる。
【００２０】
本実施の形態では、突起部が３つ形成される例を挙げたが、突起部の形成数は任意である。また、本実施の形態では、略半球状の突起部の例を挙げたが、突起部の形状は半球状に限られない。例えば、突起部を略円錐状に形成してもよい。
【００２１】
このように、ローラの側面に突起部を形成することにより、ローラの側面とブシュリンクプレートの接触が面接触ではなく、点接触（実施の形態においては３点）となるため、ローラとブシュリンクプレートが固着しづらくすることができる。
【００２２】
以上、本発明の実施の形態を説明したが、本発明の技術的範囲は、前述した実施の形態に左右されない。当業者であれば、特許請求の範囲に記載された技術的思想の範疇内において各種の変更例または修正例に想到しうることは明らかであり、それらについても当然に本発明の技術的範囲に属するものと了解される。
【００２３】
例えば、実施の形態においては、ピンリンクプレート（外リンクプレート），ブシュリンクプレート（内リンクプレート）を有する（等から構成される）チェンについて説明したが、これらのチェンに限られず、ブシュの外周にローラを設けるタイプのチェンについて本発明は適用可能である。
【００２４】
すなわち、例えば、いわゆるオフセットタイプのチェンについても、本発明の適用は可能である。
【符号の説明】
【００２５】
４０  ローラ
４２  突起部
１６０  チェン
１６２  ピンリンクプレート
１６４  ブシュリンクプレート
１６６  ブシュ
１６８  ローラ
１７０  ピン
【図１】
2018165519.tif 000003
【図２】
2018165519.tif 000004
(57)【要約】【課題】全体として扁平であり、公知技術による一重の略切頭円錐状段差部により補強される以上により剛固に補強されたパネル部材によって自動車のフロア部を構成することにより自動車の車体構造のより一層の軽量化と剛固化を図る。【解決手段】板材よりなり且つ小径端の形状を同じくする２つの略切頭円錐状の環状体を該小径端にて突合せ接合した物体と、該２つの略切頭円錐状の環状体の少なくとも一方の大径端に接合された略扁平な板材とを含むパネル部材により自動車のフロア部を構成する。略切頭円錐状の環状体は、板材よりなる球殻の一部を２つの互に平行な平切断面で切り取った形状の環状体であってよい。【選択図】図２
2018165084.tif 000002
【特許請求の範囲】
【請求項１】
板材よりなり且つ小径端の形状を同じくする２つの略切頭円錐状の環状体を該小径端にて突合せ接合した物体と、該２つの略切頭円錐状の環状体の少なくとも一方の大径端に接合された略扁平な板材とを含むパネル部材によりフロア部が構成されていることを特徴とする自動車の車体構造。
【請求項２】
前記の略切頭円錐状の環状体は、板材よりなる球殻の一部を２つの互に平行な平切断面で切り取った形状の環状体であることを特徴とする請求項１に記載の自動車の車体構造。
【発明の詳細な説明】
【技術分野】
【０００１】
本発明は、自動車の車体構造に係り、特に自動車のフロア部を軽量且つ剛固な構造とすることに係る。
【背景技術】
【０００２】
自動車の車体のフロア部にスペアタイヤのような物品を格納するに適した皿状の窪み部を設けることが、下記の特許文献１において提案されている。かかる要領により、他の部材を必要とすることなく物品格納部の剛性を高め、車体の軽量化と共振周波数コントロールとの両立を図ることができるとされている。
【先行技術文献】
【特許文献】
【０００３】
【特許文献１】特開２０１３-８６７５７号公報
【発明の概要】
【発明が解決しようとする課題】
【０００４】
上記の如く板材を皿状に窪ませることにより、板材を単に扁平に広げたパネル部材に比して、略切頭円錐状の段差部の存在によりパネル部材の剛性を高めることができる。ただ、この場合、パネル部材は、全体に亙って扁平な表面を呈するものとはならない。また、かかる一重の略切頭円錐状段差部による構造では、略切頭円錐状段差部について、例えば、段差を２段或いは３段とするような変形が可能ではあろうが、そのような変形は段差部による剛性付与効果を増大させるよりも寧ろ低減させるものであり、かかる一重の略切頭円錐状段差部によりパネル部材としての剛性を高めることには自ずと限界があると思われる。
【０００５】
本発明は、全体として扁平であり、上記の如き一重の略切頭円錐状段差部により補強される以上により剛固に補強されたパネル部材によって自動車のフロア部を構成することにより自動車の車体構造のより一層の軽量化と剛固化を図ることを課題としている。
【課題を解決するための手段】
【０００６】
上記の課題を解決すべく、本発明は、板材よりなり且つ小径端の形状を同じくする２つの略切頭円錐状の環状体を該小径端にて突合せ接合した物体と、該２つの略切頭円錐状の環状体の少なくとも一方の大径端に接合された略扁平な板材とを含むパネル部材によりフロア部が構成されていることを特徴とする自動車の車体構造を提案するものである。
【０００７】
前記の略切頭円錐状の環状体は、板材よりなる球殻の一部を２つの互に平行な平切断面で切り取った形状の環状体であってよい。
【発明の効果】
【０００８】
上記の如く、自動車の車体構造におけるフロア部が、板材よりなり且つ小径端の形状を同じくする２つの略切頭円錐状の環状体を該小径端にて突合せ接合した物体と、該２つの略切頭円錐状の環状体の少なくとも一方の大径端に接合された略扁平な板材とを含むパネル部材により構成されれば、略扁平な板材は、二重の略切頭円錐状の環状体により、一重の略切頭円錐状の環状体による場合に比して倍加された剛性を付与される。
【０００９】
更に、前記の略切頭円錐状の環状体が、板材よりなる球殻の一部を２つの互に平行な平切断面で切り取った形状の環状体とされれば、そのような環状体は、それ自身が変形に対し円筒面や円錐面に比してより高い剛性を呈する球面の集まりであることから、パネル部材はより一層高い剛性を付与される。
【図面の簡単な説明】
【００１０】
【図１】本発明によるパネル部材をフロア部に組み込んだ自動車の車体のフロア部の一例を示す斜視図である。
【図２】上記パネル部材の略切頭円錐状の環状体が板材よりなる球殻の一部を２つの互に平行な平切断面で切り取った形状の環状体とされ、そのような環状体の２つが小径端にて突合せ接合され、一方の環状体の大径端に略扁平な板材が接合される要領を示す説明図である。
【発明を実施するための形態】
【００１１】
図１には、本発明によるパネル部材をフロア部に組み込んだ自動車の車体のフロア部の一例が斜視図にて示されている。図において、１、２，３はそれぞれ自動車の前方部、中央部、後方部のフロア部を構成するフロントフロアパネル、センターフロアパネル、リアフロアパネルであり、本発明によるパネル部材はセンターフロアパネル２に組み込まれている。尚、４はセンターフロアパネル２に接続されたセンターピラーである。
【００１２】
本発明によりセンターフロアパネル２に組み込まれるパネル部材であって、上記の通り板材よりなり且つ小径端の形状を同じくする２つの略切頭円錐状の環状体を該小径端にて突合せ接合した物体と、該２つの略切頭円錐状の環状体の少なくとも一方の大径端に接合された略扁平な板材とを含むパネル部材は、図２に示す要領により製造されたものであってよい。
【００１３】
即ち、一つの実施例として、パネル部材は、図２の図Ａに示す如く、板材よりなる球殻１０の一部を２つの互に平行な平切断面１２，１４で切り取った形状の環状体１６の２つが、図Ｂに示す如く、環状体１６−１、１６−２としてそれらの形状を同じくする小径端にて突合せ接合され、図Ｃに示す如く、そのような２つの環状体の突合せ接合体の一方である環状体１６−２の大径端に扁平な板材１８が接合されたものとされてよい。
【００１４】
図２に示す実施例においては、環状体１６−１と１６−２は互に同じ形状のものとされているが、小径端にて突合せ接合される２つの環状体は、それらが小径端にて形状を互に同じくするものであれば、互に異なる形状のものとされてもよい。
【００１５】
また板材１８は、自動車にセンターフロアパネルとして組み込まれるに当たって、その周縁部にて任意に変形されてよい。
【００１６】
以上に於いては本発明を一つの実施例について詳細に説明したが、かかる実施例について本発明の範囲内にて種々の変更が可能であることは当業者にとって明らかであろう。
【符号の説明】
【００１７】
１…フロントフロアパネル、２…センターフロアパネル、３…リアフロアパネル、４…センターピラー、１０…板材よりなる球殻、１２，１４…平切断面、１６，１６−１，１６−２…環状体、１８…板材
【図１】
2018165084.tif 000003
【図２】
2018165084.tif 000004
(57)【要約】【課題】地震、津波、洪水等の災害時に、マニュアル通りの避難に支障がある場合や迅速な避難が出来ない例えば病人などの身の安全を確保するために緊急に駆け込めるシェルターが、切望されている。【解決手段】横円筒缶形の船体１の内部に自在枠２を組み込み、自在枠２から懸垂された居住室３を設け、船体１の底部には、重りとなるコンクリートや金属または水を充填したことを特徴とする船形避難シェルターを考案した。【選択図】図１
2018165146.tif 000002
【特許請求の範囲】
【請求項１】
横円筒缶形の船体１の内部に自在枠２を組み込み、自在枠２から懸垂された居住室３を設け、船体１の底部には、重りとなるコンクリートや金属または水を充填したことを特徴とする船形避難シェルター。
【請求項２】
水中や水上での動きを安定させるためや安全な場所に固定するためのアンカー１２を備えた請求項１記載の船形避難シェルター。
【請求項３】
自在枠２の両端吊元に上下、前後、左右からの衝撃を緩和するため独立懸架のサスペンション装置１４を設けた請求項１記載の船形避難シェルター。
【発明の詳細な説明】
【技術分野】
【０００１】  この発明は、地震、津波、洪水等の災害時に避難が困難で、迫る危険から時間的余裕の無い場合、身の安全を確保するために、やむなく、駆け込む船形の避難シェルター。
【背景技術】
【０００２】  従来、地震、津波、洪水等の被災時に避難マニュアルはあっても、災害の程度によっては、マニュアルに想定していない状況が発生し、通常の避難が困難な場合がある。その際の避難は、被災民の自主判断に任されてきた。
【発明の概要】
【発明が解決しようとする課題】
【０００３】  地震、津波、洪水等の災害時に、マニュアル通りの避難に支障がある場合や迅速な避難が出来ない例えば病人などの身の安全を確保するために緊急に駆け込めるシェルターが、切望されている。
【課題を解決するための手段】
【０００４】  上記の課題を解決するために、以下のような船形避難シェルターを考案した。
横円筒缶形の船体１の内部に自在枠２を組み込み、自在枠２から懸垂された居住室３を設け、船体１の底部には、重り用のコンクリートや金属または水を充填したことを特徴とする船形避難シェルター。
被災の際、駆け込めるシェルターとしては、何よりも安全性が求められる。
このシェルターは、定められた場所に固定して在る施設ではなく、津波、洪水の際には、水流に乗って、漂流し、浅瀬に至って漂着し、難を逃れることを目的としている。怒濤の如く荒れ狂う大波、次々と打ち寄せる波の衝撃、漂流物との衝突などから避難者を守る構造となっている。
また、この船形避難シェルターは、姿勢安定用または固定用のアンカー１２も持っており、場合によっては安全な場所に固定して利用することも可能な構造となっている。
【発明の効果】
【０００５】  考案した船形避難シェルターを利用することで、マニュアルに想定していない状況が発生し、通常の避難が困難な状況に陥った場合や病人など避難が困難な被災者がいる場合などに、迫り来る洪水や津波から身を守ることができる可能性が高まる。船体が傾斜した場合も自在装置によって居住室は、水平状態で懸垂されているため船酔いや、壁面への衝突による怪我も比較的緩和される構造となっている。
考案した船形避難シェルターは、被災者の命を守る最低限のものであるが、将来的には、避難を手助けする通信システムやナビゲーションシステム、人工知能、周囲の行方不明者の探知システムやそれらを統合した人工知能システムの搭載も考えられる。
【図面の簡単な説明】
【０００６】
【図１】本発明の斜視全体図
【図２】本発明の自在枠斜視透視図
【図３】本発明の平面から見た内部構造図
【図４】本発明の側面から見た内部構造図
【図５】本発明の正面から見た外観及び内部構造図
【図６】本発明の正面から見たサスペンション構造図
【図７】本発明の側面から見たサスペンション構造図
【発明を実施するための形態】
【０００７】  横円筒缶形の船体１の内部に自在枠２を組み込み、そこから半球形の居住室３を懸垂する。この構造により船体が傾斜しても自在枠２に懸垂されている居住室３は平行に保たれるため、安定した居住空間を確保できる。また船酔いなどの緩和にも効果がある。また漂流物などとの衝突による衝撃力も遠心力になって重力に変換されることになり、居住室３への影響は小さくなる。
又、船体底部に重りとなるコンクリートや金属または水４を充填し、船体下部に重心を確保することで船体が横転したとしても、自力で起き上がる回復力を発生させ、安定な姿勢を保つことができる。
又、天井部には採光窓５と外の様子を見るための窓６を設ける。又、通気バルブ７を設ける。
又、姿勢安定用または固定用のアンカー１２を船体下部に備えている。
居住室３は、腰掛用に座席シート８を備えたものと仰臥用に寝台１１を備えたものを、それぞれ独立して設けている。
又、自在枠２の両端吊元には、上下方向、前後方向、左右方向からの衝撃に対して複合的に働く緩衝装置１４を備えている。
居住室３の一方は、コの字形に座席シート８を取り付け、シートベルトを備える。もう一方は、仰臥用に寝台１１を備えることで避難の長期化にも対応する。又、それぞれの居住室３には、トイレ、洗面台１０を備える。寝台１１の別の形態としては、ハンモック構造のものも考えられる。
【符号の説明】
【０００８】  １  船体
２  自在枠
３  居住室
４  重りとなるコンクリートや金属または水
５  採光窓
６  窓
７  通気バルブ
８  コの字形座席
９  防水扉（出入り口）
１０  トイレ、洗面室
１１  仰臥用寝台
１２  アンカー
１３  差上ウインチ
１４  サスペンション
１５  板バネ
１６  コイルバネ
１７  ショックアブソーバ
【図１】
2018165146.tif 000003
【図２】
2018165146.tif 000004
【図３】
2018165146.tif 000005
【図４】
2018165146.tif 000006
【図５】
2018165146.tif 000007
【図６】
2018165146.tif 000008
【図７】
2018165146.tif 000009
(57)【要約】【課題】  例えばカップラーメンなどを食するときに３分・４分・５分と違った時間経過を１台の砂時計ではかることを提供する。【解決手段】  砂が上下・左右・前後と６方向に別々の砂が流れる事を特徴とする。【選択図】図１
2018165711.tif 000002
【特許請求の範囲】
【請求項１】
砂の流れる腕を６方向に設け交差箇所に膨らみをもたせて流れをスムーズにする点。
【発明の詳細な説明】
【技術分野】
【０００１】この発明は３次元的砂時計に関するものである。
【背景技術】
【０００２】従来の砂時計はひとつの時間しか計れなかった。
【先行技術文献】
【特許文献】
【０００３】
【特許文献１】
【発明の概要】
【発明が解決しようとする課題】
【０００４】従来の砂時計は一つの時間経過を計るものであったが、本発明は以上の点を改良したものである。
【課題を解決するための手段】
【０００５】上下・左右・前後と６方向に砂の入る腕をつけそれぞれの砂の量を変える。
本発明は、以上の構成よりなる３次元的砂時計である。
【発明の効果】
【０００６】１つの砂時計でたとえば、３分・４分・５分と３つの時間が計れる。
【図面の簡単な説明】
【０００７】
【図１】本発明の斜視図である。
【図２】本発明の断面図である。
【発明を実施するための形態】
【０００８】以下、本発明を実施するための形態について説明する。
従来は上下で計っていたがこれにプラス左右・前後と４方向に腕をつけ、交差の箇所に膨らみをもたせることにより砂の流れをスムーズにする構造である。これにより１つの砂時計で異なる３つ時間がはかれる。
【図１】
2018165711.tif 000003
【図２】
2018165711.tif 000004
(57)【要約】【課題】ランタノイド系やアクチノイド系の金属や、Ｆｅ、Ａｌ、並びに金、等の貴金属等もプラント化すれば大量にさい手できる。【解決手段】海中からすべての自然界に存在する主に金属元素を取り出す。海水には自然界に存在するすべての元素が含まれる。実験室で作った元素は違うが、それを取り出すにはプラント化して海水面から直径平均２０ｃｍのＦｅＮ（チッ化鉄）のワイヤーを深さ２５０ｍまでたらす。そしてワイヤーは、それにくっついて成長した元素の重さに絶えられる直径になるようにだんだん細くする。まずは主にランタノイド系やアクチノイド系の元素が２５０ｍ付近を微粒子で浮遊している。そして密度の小さい元素は狭い所に浮遊している。そこでワイヤーにすべての固体元素並びに金属元素の種子を図のようにワイヤーに少しくっつける。すると金属結合により、１〜２年後には成長して大きいインゴッドになる。すなわちすべての元素が成長するわけである。すでに理解されたように密度の小さい元素が海中の浅い所にそれの大きい元素が深い所のワイヤーの各々の元素の種子にくっついて成長していく。その（すなわち元素の密度にぼ比例してワイヤーに種子をくっつける。）結果すべての元素が円板上のインゴッドになる。そして大量生産につながる。○  ＦｅＮ（チッ化鉄）は私が考えた分子金属である。○  鉱山で取るよりも、どんな金属も人件費が抑制でき、コストが安くつく。【特許請求の範囲】
【請求項１】
海水から元素のインゴッドを取り出す。
2018165376.tif 000003
【請求項２】
【発明の詳細な説明】
2018165376.tif 000002
【図１】
2018165376.tif 000004
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
海中から自然界に存在するすべての元素を取り出す。
【手続補正２】
【補正対象書類名】明細書
【補正対象項目名】全文
【補正方法】変更
【補正の内容】
【発明の詳細な説明】
【技術分野】プラントか出きる。元素取り出し主に金属元素
【発明の概要】
【発明が解決しようとする課題】プラント化すれば山の景感を損なわずに元素を取れる。
【課題を解決するための手段】プラント化すれば大量生産が出る。
【発明の効果】あるはずである。
【図面の簡単な説明】
【図１】図面にはチッ化鉄ＦｅＮに接着済をつけ元素を１〜２年以上かけて元素が成長した所
【発明を実施するための形態】
【実施例】実施例はないが低コスト化でき、プラント化すればよい。
【産業上の利用可能性】プラント化し鉄工業の場合は鉄だけのインゴッドを取り出し産業の低コストかを目ざす。
【手続補正４】
【補正対象書類名】図面
【補正対象項目名】全図
【補正方法】変更
【補正の内容】
【図１】
2018165376.tif 000005
(57)【要約】【課題】従来の有線や無線で機器をコントロールする場合、接続が複雑で煩雑になるという問題があった。これは各機能を持った機器を各々接続する必要があったためである。【解決手段】コントロールユニット（１）、スピーカーユニット（２）、バッテリーユニット（３）、照明ユニット（４）を組み合わせて一体化することで多機能同時コントロール組み合わせユニットとして複雑な接続を防止することができる。【選択図】図１
2018032610.tif 000002
【特許請求の範囲】
【請求項１】
機器をコントロールするコントロールユニットにそれぞれの機能を持った機器ユニットを組合せ一体化し、各機能を同時にコントロールできることを特徴とする。
【発明の詳細な説明】
【技術分野】
【０００１】  本発明は、多機能同時コントロール組み合わせユニットに関するものである。
【背景技術】
【０００２】  従来、各機能を持った機器を有線や無線でコントロールする場合、それぞれを接続しコントロールを行っており、配線や接続が複雑になり煩雑であった。
【発明の概要】
【発明が解決しようとする課題】
【０００３】  従来の機器には、次のような欠点があった。
有線や無線で接続しコントロールする場合、違う機能の機器を接続し同時にコントロールするのが難しく接続するのに煩雑になっていた。【０００４】  本発明は、このような従来の機器が有していた問題を解決しようとするものであり、各機能を持った機器を組合せ一体化し同時にコントロールすることを目的とするものである。
【課題を解決するための手段】
【０００５】  そして、本発明は上記目的を達成するために、全てのコントロールを行うコントロールユニット（１）にスピーカーユニット（２）バッテリーユニット（３）照明ユニット（４）を使用する状況によりワンタッチで組み合せ一体化し、同時にコントロールするようにした多機能同時コントロール組み合わせユニットである。
【発明の効果】
【０００６】  各々の機能を持った機器を組み合わせ一体になっているので、接続や配線が簡単で音や光やカメラの制御を同時に行い、バッテリーユニットにより停電時にも使用が可能となる。
【図面の簡単な説明】
【０００７】
【図１】  本発明の斜視図である。
【図２】  本発明の断面図である。
【発明を実施するための形態】
【０００８】  以下、本発明を実施するための形態について説明する。
コントロールユニット（１）の下部にスピーカーユニット（２）を接続し、その下部にバッテリーユニット（３）を接続し、その下部に照明ユニット（４）を接続する。
一体となったユニット全体を通常の照明用器具取り付け、コントロールユニットと有線や無線通信により各機能を制御する。
一般的な照明器具に取り付けが可能である。
【実施例】
【０００９】  コントロールユニット（１）にスピーカーユニット（２）バッテリーユニット（３）照明ユニット（４）を接続し組み合わせることで、使用する空間全体に音と光を伝えることができ、バッテリーユニット（２）により非常時（停電時）に音と光で情報を伝え避難誘導することができる。
【符号の説明】
【００１０】１  コントロールユニット
２  スピーカーユニット
３  バッテリーユニット
４  照明ユニット
【図１】
2018032610.tif 000003
【図２】
2018032610.tif 000004
(57)【要約】【課題】ドーパントとしてホウ素を用いたダイヤモンドの上に強誘電体を絶縁膜としてゲート電極を形成した電界効果トランジスタの提供を目的とする。【解決手段】ドーパントとしてホウ素を用いたボロンドープダイヤモンドの上に、ゲート絶縁膜として強誘電体が用いられていることを特徴とする。【選択図】  図１
2018157076.tif 000002
【特許請求の範囲】
【請求項１】
ドーパントとしてホウ素を用いたボロンドープダイヤモンドの上に、ゲート絶縁膜として強誘電体が用いられていることを特徴とする電界効果トランジスタ。
【請求項２】
前記ボロンドープダイヤモンドの表面がＯＨ終端化されていることを特徴とする請求項１記載の電界効果トランジスタ。
【請求項３】
前記ボロンドープダイヤモンドの上にソース電極とドレイン電極とが形成されており、
前記ＯＨ終端化されたダイヤモンド表面に前記強誘電体の薄膜が積層されており、
前記強誘電体の薄膜上にゲート電極が形成されていること特徴とする請求項２記載の電界効果トランジスタ。
【請求項４】
前記強誘電体は、フッ化ビニリデンと三フッ化エチレンとの共重合体薄膜であることを特徴とする請求項１〜３のいずれかに記載の電界効果トランジスタ。
【発明の詳細な説明】
【技術分野】
【０００１】
本発明は、強誘電体をゲート絶縁体として用いた電界効果トランジスタに関する。
【背景技術】
【０００２】
ダイヤモンドは絶縁破壊電界、熱伝導率などにおいて非常に優れた物性を有することから次世代パワーデバイスへの応用研究が盛んに行われており、これまでに高いｏｎ／ｏｆｆ比を有する反転層チャネルＭＯＳＦＥＴ構造等が報告されている（非特許文献１）。
しかし、ダイヤモンドは室温におけるキャリア活性化率が低いため、従来のＦＥＴ構造において高いドレイン電流密度を得ることは容易ではない。
そこで我々はＭＩＳＦＥＴ構造のゲート絶縁膜として強誘電体を用いることを検討し本発明に至った。
強誘電体は非常に大きな自発分極を持つことから、通常の絶縁体を上回る高濃度なキャリア誘起が期待される。
非特許文献２には、低濃度ボロンドープダイヤモンドをチャネルとしたＭＥＳＦＥＴが開示されているが最大ドレイン電流密度等のＦＥＴ特性が充分とは言えないものである。
【先行技術文献】
【非特許文献】
【０００３】
【非特許文献１】T.Matsumoto et al.,Sci.Rep.,6,31585(2016)
【非特許文献２】H.Umezawa et al.,IEEE Electron Device Lett.,35,6910291(2014)
【発明の概要】
【発明が解決しようとする課題】
【０００４】
本発明は、ドーパントとしてホウ素を用いたダイヤモンドの上に強誘電体を絶縁膜としてゲート電極を形成した電界効果トランジスタの提供を目的とする。
【課題を解決するための手段】
【０００５】
本発明に係る電界効果トランジスタは、ドーパントとしてホウ素を用いたボロンドープダイヤモンドの上に、ゲート絶縁膜として強誘電体が用いられていることを特徴とする。
ここで、前記ボロンドープダイヤモンドの表面がＯＨ終端化されているのが好ましい。
【０００６】
例えば、前記ボロンドープダイヤモンドの上にソース電極とドレイン電極とが形成されており、前記ＯＨ終端化されたダイヤモンド表面に前記強誘電体の薄膜が積層されており、前記強誘電体の薄膜上にゲート電極が形成されている形態が例として挙げられる。
【０００７】
本発明に用いる強誘電体とは、自発分極能を有するものであれば限定されないが、ダイヤモンドの表面に低温で積層できる点で、フッ素系の有機薄膜が好ましい。
例えば、フッ化ビニリデン（ＶＤＦ）と三フッ化エチレン（ＴｒＦＥ）との共重合体薄膜が例として挙げられる。
【発明の効果】
【０００８】
本発明に係るＦＥＴはデプレッション型のｐチャネルＦＥＴ動作を示し、非特許文献２に記載のＭＥＳＦＥＴと比較すると、室温での観測値は約１０倍の最大ドレイン電流密度を示した。
【図面の簡単な説明】
【０００９】
【図１】本発明に係るＭＦＳＦＥＴの構造を示す。
【図２】評価に用いたＦＥＴを示す。（ａ）は光学顕微鏡像を示し、（ｂ）は構造の模式図を示す。
【図３】ゲートリーク電流特性を示す。
【図４】Ｐ−ＶＧ特性を示す。
【図５】Ｃ−ＶＧ特性を示す。
【図６】ＩＤＳ−ＶＤＳ特性を示す。
【図７】ＩＤＳ−ＶＧ特性を示す。
【図８】インバータ特性を示す。
【発明を実施するための形態】
【００１０】
本発明に係る電界効果トランジスタ（ＦＥＴ）の基本構造例を図１の模式図に示し、評価に用いたサンプルの構造を図２に示す。
ダイヤモンド（１１１）基板の上に、大気中に存在するホウ素を不純物源として、プラズマＣＶＤ法により低濃度のボロンド−プダイヤモンドの薄膜をエピタキシャル成長させた。
次に真空蒸着法を用いてＡｕからなるソース電極とドレイン電極を形成した。
次にＨ２Ｏ雰囲気，５００℃，６０ｍｉｎのアニール処理を行い、ダイヤモンドの表面をＯＨ終端化処理した。
次にスピンコート法を用いてフッ化ビニリデン・三フッ化エチレン共重合体からなる強誘電体Ｐ（ＶＤＦ−ＴｒＦＥ）の薄膜を形成した。
なお、窒素雰囲気、１２０℃，２０ｍｉｎのアニール処理をした。
膜厚は約１５０ｎｍであった。
上記にて形成したＰ（ＶＤＦ−ＴｒＦＥ）薄膜の上に真空蒸着法にてＡｕからなるゲート電極を形成した。
なお、ゲート長さ：５μｍ、チャネル長さ：１５μｍであった。
【００１１】
このようにして製作したサンプルにて各特性を評価したので以下、説明する。
図３にゲートリーク電流特性の測定結果を示し、約±２０Ｖまではリーク電流が１０−５Ａ／ｃｍ２オーダー未満であった。
図４にＰ−ＶＧ特性の測定結果を示す。
空乏層に起因すると推定された非対称性のヒステリシスループを示した。
図５にＣ−ＶＧ特性の測定結果を示す。
これらのことから、ボロンドープダイヤモンド上に形成したＰ（ＶＤＦ−ＴｒＦＥ）薄膜が良好な強誘電体として機能していることが確認された。
なお、算出したＰ（ＶＤＦ−ＴｒＦＥ）の比誘電率は６．８であった。
【００１２】
次にゲート電圧を変化させたＩＤＳ−ＶＤＳ特性の測定結果を図６に示し、ＩＤＳ−ＶＧ特性の測定結果を図７に示す。
このことからデプレッション型のｐチャネルＦＥＴとして動作していることを確認できた。
最大ドレイン電流密度：０．８７ｍＡ／ｍｍ，ＶＤＳ＝−３０Ｖにおける最大電流ｏｎ／ｏｆｆ比は１０３倍であった。
また、図８に示すようにインバータとして動作していることも確認できた。
【図１】
2018157076.tif 000003
【図２】
2018157076.tif 000004
【図３】
2018157076.tif 000005
【図４】
2018157076.tif 000006
【図５】
2018157076.tif 000007
【図６】
2018157076.tif 000008
【図７】
2018157076.tif 000009
【図８】
2018157076.tif 000010
(57)【要約】【課題】恐怖の大王などの悪い異星人が地球にきた場合これを迎撃【解決手段】2018157172.tif 000003【選択図】図１
2018157172.tif 000002
【特許請求の範囲】
【請求項１】
レーザーの種類
チタンレーザー
イオンレーザー
ナトリウムレーザー
水素レーザー
これらのレーザーを加速器で加速させる。そして押すレーザーを電子で押すこれらの特許
【発明の詳細な説明】
【技術分野】
【０００１】レーザーの分野
【背景技術】
【０００２】信号用レーザーから破壊用レーザー【０００３】レーザービームでの破壊
【発明の概要】
スーパーレーザー
【発明が解決しようとする課題】惑星の破壊
課題を解決するための手段
レーザーを加速器で押すスーパーレーザー方式レーザー電子
【発明の効果】悪い異星人の惑星を破壊する
【図面の簡単な説明】
【図１】チタンレーザーイオンレーザー  ナトリウムレーザー水素レーザーを加速器で押すレーザー電子
【発明を実施するための形態】
ユニバーサル大学にある加速器で１分間に電子ビームを１万回転２万回転させてレーザーの光を押す
【実施例】ジョンソンスペースセンター（アメリカ）ここからレーザー加速させるスーパーレーザーが置いてある
【産業上の利用の可能性】
対惑星間戦争の頻繁化
【図１】
2018157172.tif 000004